(57)【要約】【課題】シート上に表示された情報を被着体に貼着された状態から手間をかけずに分断して情報の漏洩を回避する。【解決手段】情報が表示される貼付票１２が分離可能に区画形成された伝票シート１０と、伝票シート１０の情報が表示される面とは反対側の面に積層された擬似接着層４０とを有し、貼付票１２は、貼付票１２の外縁上に一方の端部を具備し、貼付票１２を横切る複数のスリット１３ａが形成されるとともに、貼付票１２の外縁に隣接する領域に設けられ、複数のスリット１３ａの他方の端部に当接し、カット部とタイ部とからなるミシン目１４ｂによって貼付票１２から分離可能に区画形成された分離部１５を有する。【選択図】図１
2020024252.tif 000002
【特許請求の範囲】
【請求項１】
情報が表示される情報表示部が分離可能に区画形成された第１のシートと、
前記第１のシートの前記情報が表示される面とは反対側の面に積層された第１の接着層とを有し、
前記第１の接着層は、少なくとも前記情報表示部に対向する領域が、当該第１の接着層によって基材または被着体に貼着された前記第１のシートの前記基材または被着体からの剥離を可能とする構造を具備し、
前記情報表示部は、
当該情報表示部の外縁上に一方の端部を具備して当該情報表示部を互いに交差することなく延び、前記第１のシートを貫通して形成された複数の切り込み線と、
当該情報表示部の外縁に隣接する領域に設けられ、前記複数の切り込み線の他方の端部に当接する分離部とを有し、
前記分離部は、カット部とタイ部とからなる切り離し線によって当該情報表示部から分離可能に区画形成されている、情報保護ラベル。
【請求項２】
請求項１に記載の情報保護ラベルにおいて、
前記基材として、前記第１の接着層によってその全面にて前記第１のシートに擬似貼着され、前記第１のシートとの貼着面とは反対側の面に第２の接着層が積層された第２のシートを有する、情報保護ラベル。
【請求項３】
請求項１または請求項２に記載の情報保護ラベルにおいて、
前記複数の切り込み線は、前記情報表示部における情報の印字方向とは非平行な方向に延びている、情報保護ラベル。
【請求項４】
請求項１乃至３のいずれか１項に記載の情報保護ラベルにおいて、
前記第１の接着層は、前記分離部に対向する領域の接着力が、それ以外の領域の接着力よりも弱い、情報保護ラベル。
【発明の詳細な説明】
【技術分野】
【０００１】
本発明は、情報が表示されるラベルに関し、特に、表示される情報の漏洩を回避する技術に関する。
【背景技術】
【０００２】
近年、情報化社会の進展に伴い、個人情報の保護の重要性が高まっている。個人情報は個人を特定する情報であることから、漏洩した場合に悪用されてしまう可能性が高い。このような個人情報は、配送物が配送される際、配送物に貼着される配送ラベルに表示されて用いられる場合があるが、その場合、配送物から剥離した配送ラベルの廃棄とともに個人情報が漏洩する可能性が生じてしまう。
【０００３】
ここで、基材の一部に先端部がＵ字状の切り取り線を形成し、被着体に貼着された状態から、切り取り線の内側の領域を剥離部として基材から分離することで、基材の表面に表示された個人情報を破壊して読み取りにくくする構成を有する宛名ラベルが特許文献１に開示されている。この宛名ラベルを配送ラベルとして用いた場合、配送ラベルが貼着された配送物が配送先に届けられた後に、切り取り線の内側の領域を剥離部として基材から分離することで、配送ラベルが、配送物から剥離される部分と配送物に貼着されたままとなる部分とに分割される。それにより、個人情報が破壊されることになり、個人情報の漏洩を回避することができる。
【先行技術文献】
【特許文献】
【０００４】
【特許文献１】特許第５９３５４２７号公報
【発明の概要】
【発明が解決しようとする課題】
【０００５】
上述したように、特許文献１に開示されたものは、配送物等の被着体に貼着された後に剥離した際、被着体から剥離される部分と、被着体に貼着されたままとなる部分との複数の領域に分割されるものである。そのため、被着体から剥離された状態においては被着体にはラベルの一部が貼着されたままとなっており、被着体からラベルを完全に除去するには、ラベルの貼着されたままとなっている部分を剥離しなければならず、そのための手間がかかってしまうという問題点がある。特に、被着体に貼着されたままとなっている部分が複数の領域に分離されている場合、分離された複数の領域を１つずつ被着体から剥離しなければならず、かなり煩雑な手間となってしまう。
【０００６】
本発明は、上述したような従来の技術が有する問題点に鑑みてなされたものであって、シート上に表示された情報を被着体に貼着された状態から手間をかけずに分断して情報の漏洩を回避できる情報保護ラベルを提供することを目的とする。
【課題を解決するための手段】
【０００７】
上記目的を達成するために本発明は、
情報が表示される情報表示部が分離可能に区画形成された第１のシートと、
前記第１のシートの前記情報が表示される面とは反対側の面に積層された第１の接着層とを有し、
前記第１の接着層は、少なくとも前記情報表示部に対向する領域が、当該第１の接着層によって基材または被着体に貼着された前記第１のシートの前記基材または被着体からの剥離を可能とする構造を具備し、
前記情報表示部は、
当該情報表示部の外縁上に一方の端部を具備して当該情報表示部を互いに交差することなく延び、前記第１のシートを貫通して形成された複数の切り込み線と、
当該情報表示部の外縁に隣接する領域に設けられ、前記複数の切り込み線の他方の端部に当接する分離部とを有し、
前記分離部は、カット部とタイ部とからなる切り離し線によって当該情報表示部から分離可能に区画形成されている。
【０００８】
上記のように構成された本発明においては、第１の接着層によって基材または被着体に貼着された第１のシートのうち情報表示部を第１のシートから分離して基材または被着体から剥離した後、情報表示部の外縁に隣接する領域に設けられた分離部を、カット部とタイ部とからなる切り離し線を破断することで情報表示部から分離すると、情報表示部には、情報表示部の外縁上に一方の端部を具備し、他方の端部が分離部に当接し、情報表示部を互いに交差することなく延びた複数の切り込み線が形成されていることにより、情報表示部が複数の切り込み線によって複数の領域に分離されることになり、情報表示部に表示された情報が認識困難なものとなり、情報の漏洩が回避されることとなる。その際、情報表示部は基材や被着体から完全に剥離されているため、基材や被着体に情報表示部の一部が貼着されたままとなっていることがない。
【０００９】
このように、被着体に貼着された情報表示部を基材または被着体から剥離し、その後、情報表示部から分離部を分離するだけで、情報表示部が基材または被着体から完全に剥離されるとともに、情報表示部が複数の領域に分離されることとなり、シート上に表示された情報を被着体に貼着された状態から手間をかけずに分断して情報の漏洩を回避できる。
【００１０】
また、基材として、第１の接着層によってその全面にて第１のシートに擬似貼着され、第１のシートとの貼着面とは反対側の面に第２の接着層が積層された第２のシートを用い、シート基材が２層構造となったラベルとしてもよい。
【００１１】
また、複数の切り込み線が、情報表示部における情報の印字方向とは非平行な方向に延びていれば、複数の切り込み線の間隔が広かったり、情報表示部に表示される情報の文字の大きさが小さかったりした場合でも、情報表示部が切り込み線によって複数の領域に分離した際に、情報表示部に表示された情報が認識困難なものとなる。
【００１２】
また、第１の接着層の分離部に対向する領域の接着力が、それ以外の領域の接着力よりも弱ければ、情報表示部を第１のシートから分離して基材または被着体から剥離する際、分離部を剥離開始端部とすることで基材または被着体から剥離しやすい。
【発明の効果】
【００１３】
本発明によれば、第１のシートに分離可能に区画形成されて情報が表示される情報表示部が、情報表示部の外縁上に一方の端部を具備し、情報表示部を互いに交差することなく延びた複数の切り込み線を有するとともに、情報表示部の外縁に隣接する領域に設けられ、複数の切り込み線の他方の端部に当接し、カット部とタイ部とからなる切り離し線によって情報表示部から分離可能に区画形成された分離部を有する構成としたため、第１の接着層によって被着体に貼着された情報表示部を基材または被着体から剥離し、その後、情報表示部から分離部を分離するだけで、情報表示部が基材または被着体から完全に剥離されるとともに、情報表示部が複数の領域に分離されることとなり、シート上に表示された情報を被着体に貼着された状態から手間をかけずに分断して情報の漏洩を回避できる。
【００１４】
また、複数の切り込み線が、情報表示部における情報の印字方向とは非平行な方向に延びているものにおいては、複数の切り込み線の間隔が広かったり、情報表示部に表示される情報の文字の大きさが小さかったりした場合でも、情報表示部が切り込み線によって複数の領域に分離した際に、情報表示部に表示された情報を認識困難なものとすることができる。
【００１５】
また、第１の接着層の分離部に対向する領域の接着力が、それ以外の領域の接着力よりも弱ければ、情報表示部を第１のシートから分離して基材または被着体から剥離する際、分離部を剥離開始端部とすることで基材または被着体から剥離しやすくなる。
【図面の簡単な説明】
【００１６】
【図１】本発明の情報保護ラベルの第１の実施の形態を示す図であり、（ａ）は表面図、（ｂ）は（ａ）に示したＡ−Ａ’断面図である。
【図２】図１に示した配送ラベルが配送物に貼着されるまでの使用方法を説明するための図である。
【図３】配送物の配送先に配送される際の配送ラベルの使用方法を説明するための図である。
【図４】配送物の配送先に配送された後の配送ラベルの使用方法を説明するための図である。
【図５】配送物の配送先に配送された後の配送ラベルの使用方法を説明するための図である。
【図６】本発明の情報保護ラベルを利用した配送ラベルの第２の実施の形態を示す図であり、（ａ）は表面図、（ｂ）は（ａ）に示したＡ−Ａ’断面図、（ｃ）は伝票シートの裏面の構成を示す図である。
【図７】本発明の情報保護ラベルを利用した配送ラベルの第３の実施の形態を示す図であり、（ａ）は表面図、（ｂ）は（ａ）に示したＡ−Ａ’断面図である。
【図８】本発明の情報保護ラベルを利用した配送ラベルの第４の実施の形態を示す図であり、（ａ）は表面図、（ｂ）は（ａ）に示したＡ−Ａ’断面図である。
【図９】本発明の情報保護ラベルを利用した配送ラベルの第５の実施の形態を示す図であり、（ａ）は表面図、（ｂ）は（ａ）に示したＡ−Ａ’断面図、（ｃ）は伝票シートの裏面の構成を示す図である。
【図１０】図９に示した配送ラベルが配送物に貼着されるまでの使用方法を説明するための図である。
【図１１】配送物の配送先に配送される際の配送ラベルの使用方法を説明するための図である。
【図１２】配送物の配送先に配送された後の配送ラベルの使用方法を説明するための図である。
【図１３】配送物の配送先に配送された後の配送ラベルの使用方法を説明するための図である。
【図１４】本発明の情報保護ラベルを利用した配送ラベルの第６の実施の形態を示す図であり、（ａ）は表面図、（ｂ）は（ａ）に示したＡ−Ａ’断面図、（ｃ）は剥離シートの構成を示す図である。
【図１５】図１４に示した配送ラベルが配送物に貼着されるまでの使用方法を説明するための図である。
【図１６】図１４に示した配送ラベルが配送物に貼着されるまでの使用方法を説明するための図である。
【図１７】配送物の配送先に配送される際の配送ラベルの使用方法を説明するための図である。
【図１８】配送物の配送先に配送された後の配送ラベルの使用方法を説明するための図である。
【図１９】配送物の配送先に配送された後の配送ラベルの使用方法を説明するための図である。
【発明を実施するための形態】
【００１７】
以下に、本発明の実施の形態について図面を参照して説明する。
【００１８】
（第１の実施の形態）
図１は、本発明の情報保護ラベルを利用した配送ラベルの第１の実施の形態を示す図であり、（ａ）は表面図、（ｂ）は（ａ）に示したＡ−Ａ’断面図である。
【００１９】
本形態における配送ラベルは図１に示すように、伝票シート１０と中間シート２０とが擬似接着層４０によって剥離可能に擬似貼着されているとともに、中間シート２０の伝票シート１０との貼着面とは反対側の面に粘着剤層５０を介して剥離シート３０が剥離可能に貼着された配送ラベル１であって、伝票シート１０と擬似接着層４０とによって本願発明の情報保護ラベルが構成されている。
【００２０】
伝票シート１０は、本願発明における第１のシートを構成し、配達票１１と貼付票１２とがスリット１４ａを介して分離可能に区画形成されて構成されている。
【００２１】
配達票１１には、この配送ラベル１が貼着されて配送される配送物の配送先の住所や氏名等の宛先情報が印字される配送情報表示欄１１ａが設けられているとともに、配達票１１を中間シート２０から剥離する際の剥離開始端部及び剥離方向を示す剥離開始マーク１１ｂが貼付票１２に隣接する１つの角部に表示されている。
【００２２】
貼付票１２には、この配送ラベル１が貼着されて配送される配送物の配送先の住所や氏名等の宛先情報が印字される配送情報表示欄１２ａが設けられているとともに、貼付票１２を中間シート２０から剥離する際の剥離開始端部及び剥離方向を示す剥離開始マーク１２ｂが、貼付票１２の端辺のうち配達票１１と貼付票１２との連接方向に延びる端辺に沿う領域に表示されている。さらに貼付票１２には、伝票シート１０を貫通したミシン目１４ｂ及び複数のスリット１３ａ，１３ｂが形成されている。スリット１３ｂは、２本設けられ、この２本のスリット１３ｂは、貼付票１２の外縁上のうち剥離開始マーク１２ｂが沿う第１の端辺上に一端を有し、そこから貼付票１２の外縁上のうち第１の端辺に対向する第２の端辺に向かって互いに交差することなく配送情報表示欄１２ａを挟んで並行して延びることで貼付票１２を横切り、第２の端辺上に他端を有している。そして、この２本のスリット１３ｂに挟まれた領域が、本願発明における情報表示部となる。ミシン目１４ｂは、本願発明における切り離し線となるものであって、カット部とタイ部とから構成され、貼付票１２の外縁上のうち剥離開始マーク１２ｂが沿う第１の端辺に隣接する領域にて第１の端辺に沿って２本のスリット１３ｂ間を延びて形成されている。スリット１３ａは、本願発明における切り込み線となるものであって、２本のスリット１３ｂによって挟まれた領域において、貼付票１２の外縁となる第２の端辺上に一端を有し、そこからスリット１３ｂに並行して互いに交差することなく並行して延び、他端がミシン目１４ｂに当接している。そして、ミシン目１４ｂによって、分離部１５が貼付票１２の２本のスリット１３ｂに挟まれた領域から分離可能に区画形成されている。
【００２３】
伝票シート１０の裏面に積層された擬似接着層４０は、本願発明における第１の接着層を構成し、ニス層４２と接着剤層４１とが積層されて構成されており、ニス層４２が伝票シート１０側となるようにして伝票シート１０に積層されている。
【００２４】
中間シート２０は、本願発明における第２のシートを構成するものであって、擬似接着層４０によって伝票シート１０に剥離可能に擬似貼着されている。中間シート２０の擬似接着層４０とは反対側の面には、その全面に粘着剤が塗布されることで第２の接着層となる粘着剤層５０が積層され、この粘着剤層５０によって剥離シート３０が剥離可能に貼着されている。なお、中間シート２０、粘着剤層５０及び剥離シート３０としては、中間シート２０と剥離シート３０が粘着剤層５０を介して剥離可能に貼着されたタック紙を用いることが考えられる。
【００２５】
剥離シート３０は、伝票シート１０及び中間シート２０よりも一回り大きな形状を有している。
【００２６】
以下に、上記のように構成された配送ラベル１の使用方法及びその際の作用について説明する。
【００２７】
図２は、図１に示した配送ラベル１が配送物に貼着されるまでの使用方法を説明するための図である。
【００２８】
図１に示した配送ラベル１を使用する場合は、まず、図２（ａ）に示すように、配送情報表示欄１１ａ，１２ａに、この配送ラベル１が貼着されて配送される配送物の配送先の住所や氏名等の配送情報１１ｃ，１２ｃが印字される。
【００２９】
配送情報表示欄１１ａ，１２ａに配送情報１１ｃ，１２ｃが印字された後、中間シート２０から剥離シート３０が剥離される。
【００３０】
中間シート２０から剥離シート３０が剥離されると、中間シート２０に積層された粘着剤層５０が表出し、表出した粘着剤層５０によって、図２（ｂ）に示すように配送ラベル１が配送物２に貼着される。
【００３１】
このようにして配送ラベル１が貼着された配送物２は、配送情報表示欄１１ａ，１２ａに表示された配送情報１１ｃ，１２ｃに従って、配送物２の配送先に配送されていく。
【００３２】
図３は、配送物２の配送先に配送される際の配送ラベル１の使用方法を説明するための図である。図４は、配送物２の配送先に配送された後の配送ラベル１の使用方法を説明するための図である。図５は、配送物２の配送先に配送された後の配送ラベル１の使用方法を説明するための図である。
【００３３】
上記のように配送ラベル１が貼着された配送物２が配送先に配送されると、図３（ａ）に示すように、配達票１１が配送ラベル１から分離される。配達票１１は、スリット１４ａを介して貼付票１２と分離可能となっているとともに、伝票シート１０の裏面に積層された擬似接着層４０によって中間シート２０に剥離可能に貼着されていることで、剥離開始マーク１１ｂに従って中間シート２０から剥離することができる。その際、配達票１１と貼付票１２との境界のうち、剥離開始マーク１１ｂ側の端部に、剥離開始マーク１１ｂ側の端部が配達票１１側に斜めに向いたカット部を有するジッパーをスリット１４ａの代わりに設けておけば、配達票１１を配送ラベル１から分離する力が配達票１１側に向かった場合でも、配達票１１の分離部分がスリット１４ａからずれて配達票１１が破断してしまうことが回避される。
【００３４】
中間シート２０から剥離された配達票１１は、配送業者によって持ち帰られて配送管理に用いられる。
【００３５】
このようにして、図３（ｂ）に示すように、配達票１１が配送物２から剥離されることになる。
【００３６】
その後、配送物２の配送先においては、配送物２のパッケージ等の外装を廃棄する際、貼付票１２が配送ラベル１から分離される。貼付票１２は、伝票シート１０の裏面に積層された擬似接着層４０によって中間シート２０に剥離可能に貼着されているとともに、貼付票１２の外縁上のうち剥離開始マーク１２ｂが沿う第１の端辺上に一端を有し、そこから貼付票１２の外縁上のうち第１の端辺に対向する第２の端辺に向かって互いに交差することなく配送情報表示欄１２ａを挟んで並行して延び、第２の端辺上に他端を有する２本のスリット１３ｂが形成されているため、図４（ａ）に示すように、スリット１３ｂに挟まれて配送情報表示欄１２ａが含まれる領域を貼付票１２の他の領域から分離して中間シート２０から剥離していくことができる。
【００３７】
それにより、図４（ｂ）に示すように、貼付票１２のスリット１３ｂに挟まれた領域がその一部が配送物２に残存することなく配送物２から全て剥離されることになる。
【００３８】
配送物２から剥離した貼付票１２のスリット１３ｂに挟まれた領域は、複数のスリット１３ａが互いに交差することなく並行して貼付票１２を横切るように形成されているため、スリット１３ａに隣接する領域においては複数の領域が分離した状態となっているものの、全てのスリット１３ａの一端が分離部１５に当接していることで、図５（ａ）に示すように、一体となった状態となっている。
【００３９】
その後、ミシン目１４ｂを破断することで分離部１５を貼付票１２のスリット１３ｂに挟まれた領域から分離すると、貼付票１２のスリット１３ｂに挟まれた領域がスリット１３ａによって複数の領域に分離されることになり、図５（ｂ）に示すように、貼付票１２に表示された配送情報１２ｃが分断されて認識困難なものとなり、情報の漏洩が回避されることとなる。
【００４０】
このように、配送物２に貼着された貼付票１２のうち配送情報表示欄１２ａが含まれる領域を配送物２から剥離し、その後、その配送物２から剥離された領域から分離部１５を分離することで、貼付票１２の配送情報表示欄１２ａが含まれる領域が複数の領域に分離されることとなり、貼付票１２の配送情報表示欄１２ａに表示された配送情報１２ｃを配送物２に貼着された状態から手間をかけずに分断して情報の漏洩を回避できる。
【００４１】
（第２の実施の形態）
図６は、本発明の情報保護ラベルを利用した配送ラベルの第２の実施の形態を示す図であり、（ａ）は表面図、（ｂ）は（ａ）に示したＡ−Ａ’断面図、（ｃ）は伝票シート１０の裏面の構成を示す図である。
【００４２】
本形態における配送ラベルは図６に示すように、図１に示したものに対して、伝票シート１０の裏面の構成が異なるものである。
【００４３】
本形態の配送ラベル１０１においては、伝票シート１０の裏面に二種類のニス層４２ａ，４２ｂが積層されている。ニス層４２ａ，４２ｂは、互いにニスの濃度が異なり、それにより、伝票シート１０と中間シート２０とは擬似接着層４０によって剥離可能に貼着されているものの、ニス層４２ａが積層された領域とニス層４２ｂが積層された領域とでは、接着力が互いに異なるものとなっている。ニス層４２ｂは、伝票シート１０との積層面において伝票シート１０の分離部１５を覆うように積層されており、ニス層４２ａは伝票シート１０との積層面のそれ以外の領域全面に積層されている。そして、ニス層４２ａにおけるニス濃度がニス層４２ｂにおけるニスの濃度よりも薄いことにより、擬似接着層４０は、貼付票１２に対向する領域のうち、分離部１５に対向する領域の接着力がそれ以外の領域の接着力よりも弱くなっている。
【００４４】
上記のように構成された配送ラベル１０１においても、図１に示したものと同様にして使用されることになるが、擬似接着層１４０が、貼付票１２に対向する領域のうち、分離部１５に対向する領域の接着力がそれ以外の領域の接着力よりも弱いことで、図４（ａ）に示したように分離部１５を剥離開始端部として貼付票１２のスリット１３ｂによって挟まれた領域を中間シート２０から剥離する際、貼付票１２を中間シート２０から剥離しやすくなる。
【００４５】
（第３の実施の形態）
図７は、本発明の情報保護ラベルを利用した配送ラベルの第３の実施の形態を示す図であり、（ａ）は表面図、（ｂ）は（ａ）に示したＡ−Ａ’断面図である。
【００４６】
本形態における配送ラベルは図７に示すように、図１に示したものに対して、伝票シート２１０に形成されたスリット２１３及びミシン目２１４ｂの形状が異なるものである。
【００４７】
本形態の配送ラベル２０１においては、ミシン目２１４ｂが貼付票２１２の配達票１１との連接方向の両端辺にその両端部を有しており、スリット２１３は、ミシン目２１４ｂから貼付票２１２の剥離開始マーク１２ｂが表示された端辺とは反対側の端辺に向かって互いに交差することなく並行に形成されている。すなわち、本形態の配送ラベル２０１においては、貼付票２１２の全体が本願発明における情報表示部となっている。
【００４８】
上記のように構成された配送ラベル２０１においても、図１に示したものと同様にして使用されることになるが、ミシン目２１４ｂが貼付票２１２の配達票１１との連接方向の両端辺にその両端部を有しているとともに、スリット２１３が、ミシン目２１４ｂから貼付票２１２の剥離開始マーク１２ｂが表示された端辺とは反対側の端辺に向かって互いに交差することなく並行して形成されていることにより、図４（ａ）に示したように貼付票２１２を中間シート２０から剥離する際、貼付票２１２の全てが中間シート２０から剥離されることになる。
【００４９】
（第４の実施の形態）
図８は、本発明の情報保護ラベルを利用した配送ラベルの第４の実施の形態を示す図であり、（ａ）は表面図、（ｂ）は（ａ）に示したＡ−Ａ’断面図である。
【００５０】
本形態における配送ラベルは図８に示すように、図１に示したものに対して、伝票シート２１０に形成されたスリット３１３及びミシン目３１４ｂの形状が異なるものである。
【００５１】
本形態の配送ラベル３０１においては、貼付票３１２の配達票１１に隣接する１つの角部に剥離開始マーク１２ｂが表示されており、その角部が分離部３１５となるようにミシン目３１４ｂが形成されている。そして、スリット３１３は、一端がミシン目３１４ｂに当接し、そこから互いに交差することなく放射状に延び、貼付票３１２の端辺上に他端を有している。すなわち、本形態の配送ラベル３０１においては、貼付票３１２の全体が本願発明における情報表示部となっている。
【００５２】
上記のように構成された配送ラベル３０１においても、図１に示したものと同様にして使用されることになるが、貼付票３１２を中間シート２０から剥離する際は、剥離開始マーク１２ｂが表示された角部から貼付票３１２を剥離することになる。
【００５３】
また、貼付票３１２を中間シート２０から剥離した後、ミシン目３１４ｂを破断して分離部３１５を貼付票３１２から分離すると、貼付票３１２がスリット３１３によって複数の領域に分離されることになり、貼付票３１２の情報表示欄１２ａに表示された配送情報が分断されて認識困難なものとなるが、本形態においては、貼付票３１２に形成された複数のスリット２１３が、貼付票３１２の剥離開始マーク１２ｂが表示された角部の近傍から放射状に延び、貼付票３１２の端辺上に他端を有しているものであるため、複数のスリット３１３のそれぞれは、貼付票３１２の情報表示欄１２ａにおける配送情報の印字方向とは非平行な方向に延びていることになる。そのため、複数のスリット３１３の間隔が広かったり、貼付票３１２の配送情報表示欄１２ａに表示される配送情報の文字の大きさが小さかったりした場合でも、貼付票３１２がスリット３１３によって複数の領域に分離した際に、貼付票３１２の配送情報表示欄１２ａに表示された配送情報を認識困難なものとすることができる。なお、複数のスリット３１３が貼付票３１２の情報表示欄１２ａにおける配送情報の印字方向とは非平行な方向に延びた構成を実現するためには、複数のスリット３１３が放射状に延びた形態とするものに限らず、複数のスリット３１３が、貼付票３１２の情報表示欄１２ａにおける配送情報の印字方向とは直交する方向に延びた形態とするものであってもよい。
【００５４】
（第５の実施の形態）
図９は、本発明の情報保護ラベルを利用した配送ラベルの第５の実施の形態を示す図であり、（ａ）は表面図、（ｂ）は（ａ）に示したＡ−Ａ’断面図、（ｃ）は伝票シート４１０の裏面の構成を示す図である。
【００５５】
本形態における配送ラベルは図９に示すように、図１に示したものに対して、伝票シート４１０の構造及び裏面の構成が異なるものである。
【００５６】
本形態における伝票シート４１０においては、配達票４１１がミシン目４１４ａによって伝票シート４１０から分離可能に区画形成されているとともに、貼付票４１２の剥離開始マーク１２ｂが表示された端辺に対向する端辺に沿ってミシン目１４ｄが形成され、配達票４１１と貼付票４１２との連接方向に直交する方向に延びたスリット４１３ａ，４１３ｂが、ミシン目１４ｂとミシン目１４ｄとの間を互いに交差することなく並行して延びて形成されている。また、ミシン目１４ｂと、スリット４１３ｂから延長して延びた２本のミシン目１４ｃとによって分離部４１５が貼付票４１２から分離可能に区画形成されている。
【００５７】
伝票シート４１０の裏面には、その全面に粘着剤が塗布されることで粘着剤層５０が積層され、さらに、ミシン目４１４ａによって分離可能となった配達票４１１を含む領域と、２本のスリット４１３ｂと２本のミシン目１４ｃとミシン目１４ｄとで囲まれた領域を含む領域とにおいて、粘着剤層５０上にシリコン層５１が積層されている。これら粘着剤層５０とシリコン層５１とから、本願発明における第１の接着層が構成されている。
【００５８】
このように構成された配送ラベル４０１においては、２本のスリット４１３ｂと２本のミシン目１４ｃとミシン目１４ｄとで囲まれた領域から、本願発明における情報表示部が構成されている。
【００５９】
以下に、上記のように構成された配送ラベル４０１の使用方法及びその際の作用について説明する。
【００６０】
図１０は、図９に示した配送ラベル４０１が配送物に貼着されるまでの使用方法を説明するための図である。
【００６１】
図９に示した配送ラベル４０１を使用する場合は、まず、図１０（ａ）に示すように、配送情報表示欄１１ａ，１２ａに、この配送ラベル４０１が貼着されて配送される配送物の配送先の住所や氏名等の配送情報１１ｃ，１２ｃが印字される。
【００６２】
配送情報表示欄１１ａ，１２ａに配送情報１１ｃ，１２ｃが印字された後、伝票シート４１０から剥離シート３０が剥離される。
【００６３】
伝票シート４１０から剥離シート３０が剥離されると、伝票シート４１０に積層された粘着剤層５０が表出し、表出した粘着剤層５０によって、図１０（ｂ）に示すように配送ラベル４０１が配送物２に貼着される。
【００６４】
このようにして配送ラベル４０１が貼着された配送物２は、配送情報表示欄１１ａ，１２ａに表示された配送情報１１ｃ，１２ｃに従って、配送物２の配送先に配送されていく。
【００６５】
図１１は、配送物２の配送先に配送される際の配送ラベル４０１の使用方法を説明するための図である。図１２は、配送物２の配送先に配送された後の配送ラベル４０１の使用方法を説明するための図である。図１３は、配送物２の配送先に配送された後の配送ラベル４０１の使用方法を説明するための図である。
【００６６】
上記のように配送ラベル４０１が貼着された配送物２が配送先に配送されると、図１１（ａ）に示すように、配達票４１１が配送ラベル４０１から分離される。配達票４１１は、ミシン目４１４ａによって伝票シート４１０から分離可能となっているとともに、配達票４１１の裏面には粘着剤層５０上にシリコン層５１が積層されていることで、配達票４１１が配送物２に貼着されていない状態であることから、ミシン目４１４ａを破断することで配達票４１１を伝票シート４１０から分離することによって、配達票４１１を剥離開始マーク１１ｂに従って配送物２から剥離することができる。
【００６７】
配送物２から剥離された配達票４１１は、配送業者によって持ち帰られて配送管理に用いられる。
【００６８】
このようにして、図１１（ｂ）に示すように、配達票４１１が配送物２から剥離されることになる。
【００６９】
その後、配送物２の配送先においては、配送物２のパッケージ等の外装を廃棄する際、貼付票４１２が配送ラベル４０１から分離される。本形態における貼付票４１２は、２本のスリット４１３ｂと２本のミシン目１４ｃとミシン目１４ｄとで囲まれた配送情報表示欄１２ａを含む領域が、伝票シート４１０から分離可能となっているため、この領域が配送ラベル４０１から分離されることになる。貼付票４１２のうち２本のスリット４１３ｂと２本のミシン目１４ｃとミシン目１４ｄとで囲まれた領域は、ミシン目１４ｃ，１４ｄと２本のスリット４１３ｂとによって貼付票４１２から分離可能となっているとともに、その裏面において粘着剤層５０上にシリコン層５１が積層されていることで、配送物２に貼着されていない状態であることから、図１２（ａ）に示すように、ミシン目１４ｃ，１４ｄを破断することで伝票シート４１０から分離することによって、剥離開始マーク１２ｂに従って配送物２から剥離していくことができる。このように、本形態においては、粘着剤層５０とシリコン層５１とからなる第１の接着層が、情報表示部となる２本のスリット４１３ｂと２本のミシン目１４ｃとミシン目１４ｄとで囲まれた領域の被着体となる配送物２からの剥離を可能とする構造を有している。
【００７０】
それにより、図１２（ｂ）に示すように、貼付票４１２のうち２本のスリット４１３ｂと２本のミシン目１４ｃとミシン目１４ｄとで囲まれた情報表示欄１２ａを含む領域が、その一部が配送物２に残存することなく配送物２から全て剥離されることになる。
【００７１】
配送物２から剥離されることで分離した貼付票４１２の分離領域は、複数のスリット４１３ａが互いに交差することなく並行して貼付票４１２を横切るように形成されているため、スリット４１３ａに隣接する領域においては複数の領域が分離した状態となっているものの、全てのスリット４１３ａの一端が分離部４１５に当接していることで、図１３（ａ）に示すように、一体となった状態となっている。
【００７２】
その後、ミシン目４１４ｂを破断することで分離部４１５を貼付票４１２の分離領域から分離すると、貼付票４１２の分離領域に含まれる配送情報表示欄１２ａがスリット４１３ａによって複数の領域に分離されることになり、図１３（ｂ）に示すように、貼付票４１２の配送情報表示欄１２ａに表示された配送情報１２ｃが分断されて認識困難なものとなり、情報の漏洩が回避されることとなる。
【００７３】
このように、配送物２に貼着された貼付票４１２の配送情報表示欄１２ａを含む領域を配送物２から剥離し、その後、貼付票４１２の分離領域から分離部４１５を分離することで、配送情報表示欄１２ａを含む領域が複数の領域に分離されることとなり、貼付票４１２に表示された配送情報１２ｃを配送物２に貼着された状態から手間をかけずに分断して情報の漏洩を回避できる。
【００７４】
（第６の実施の形態）
図１４は、本発明の情報保護ラベルを利用した配送ラベルの第６の実施の形態を示す図であり、（ａ）は表面図、（ｂ）は（ａ）に示したＡ−Ａ’断面図、（ｃ）は剥離シート５３０の構成を示す図である。
【００７５】
本形態における配送ラベルは図１４に示すように、図９に示したものに対して、伝票シート４１０の裏面の構成と剥離シート５３０の構造が異なるものである。
【００７６】
本形態における伝票シート４１０は、その裏面の全面に粘着剤が塗布されることで粘着剤層５０が積層されている。また、本形態の配送ラベル５０１においては、伝票シート４１０に形成されたミシン目１４ｂ〜１４ｄ，４１４ａ及びスリット４１３ａ，４１３ｂが剥離シート５３０まで貫通している。剥離シート５３０は、ミシン目４１４ａを取り囲むように表裏貫通したスリット５３２ａが形成されるとともに、２本のスリット４１３ｂと２本のミシン目１４ｃとミシン目１４ｄとで囲まれた領域を取り囲むように表裏貫通したスリット５３２ｂが形成されている。これにより、剥離シート５３０には、配達票４１１に対向する領域に分離部５３１ａが剥離シート５３０から分離可能に区画形成されているとともに、２本のスリット４１３ｂと２本のミシン目１４ｃとミシン目１４ｄとで囲まれた領域に対向する領域に分離部５３１ｂ，５３1ｃが剥離シート５３０から分離可能に区画形成されている。本形態においては、粘着剤層５０と剥離シート５３０とから、本願発明における第１の接着層が構成されている。なお、分離部５３１ｂ，５３１ｃは、ミシン目１４ｂを介して連接しており、２本のスリット４１３ｂと２本のミシン目１４ｃとミシン目１４ｄとで囲まれた領域のうち、貼付票４１２の分離部４１５に対向する領域が分離部５３１ｃとなり、それ以外の領域が分離部５３１ｂとなっている。
【００７７】
以下に、上記のように構成された配送ラベル５０１の使用方法及びその際の作用について説明する。
【００７８】
図１５及び図１６は、図１４に示した配送ラベル５０１が配送物に貼着されるまでの使用方法を説明するための図である。
【００７９】
図１４に示した配送ラベル５０１を使用する場合は、まず、図１５（ａ）に示すように、配送情報表示欄１１ａ，１２ａに、この配送ラベル５０１が貼着されて配送される配送物の配送先の住所や氏名等の配送情報１１ｃ，１２ｃが印字される。
【００８０】
配送情報表示欄１１ａ，１２ａに配送情報１１ｃ，１２ｃが印字された後、伝票シート４１０から剥離シート５３０が剥離される。
【００８１】
その際、剥離シート５３０には、スリット５３２ａ，５３２ｂによって分離部５３１ａ〜５３１ｃ及びその周囲の領域が剥離シート５３０から分離可能に区画形成されているため、図１５（ｂ）に示すように、配達票４１１に対向する領域と、２本のスリット４１３ｂと２本のミシン目１４ｃとミシン目１４ｄとで囲まれた領域とその周囲の領域において、分離部５３１ａ〜５３１ｃが剥離シート５３０から分離されて粘着剤層５０によって伝票シート４１０に貼着されたままとなる。そして、分離部５３１ａ〜５３１ｃとその周囲の領域以外の領域にて表出した粘着剤層５０によって、図１６に示すように配送ラベル５０１が配送物２に貼着される。
【００８２】
このようにして配送ラベル５０１が貼着された配送物２は、配送情報表示欄１１ａ，１２ａに表示された配送情報１１ｃ，１２ｃに従って、配送物２の配送先に配送されていく。
【００８３】
図１７は、配送物２の配送先に配送される際の配送ラベル５０１の使用方法を説明するための図である。図１８は、配送物２の配送先に配送された後の配送ラベル５０１の使用方法を説明するための図である。図１９は、配送物２の配送先に配送された後の配送ラベル５０１の使用方法を説明するための図である。
【００８４】
上記のように配送ラベル５０１が貼着された配送物２が配送先に配送されると、図１７（ａ）に示すように、配達票４１１が配送ラベル５０１から分離される。配達票４１１は、ミシン目４１４ａによって伝票シート４１０から分離可能となっているとともに、このミシン目４１４ａが配達票４１１の裏面に貼着された剥離シート５３０にも貫通して形成されているため、配達票４１１の剥離開始マーク１１ｂに従ってミシン目４１４ａを破断することで配達票４１１を伝票シート４１０から分離するとともに、ミシン目４１４ａによって剥離シート５３０から分離可能に区画形成された分離部５３１ａを剥離シート５３０から分離することができる。
【００８５】
配送物２から剥離された配達票４１１及び分離部５３１ａは、配送業者によって持ち帰られて配送管理に用いられる。
【００８６】
このようにして、図１７（ｂ）に示すように、配達票４１１が剥離シート５３０の分離部５３１ａとともに配送物２から剥離されることになる。
【００８７】
その後、配送物２の配送先においては、配送物２のパッケージ等の外装を廃棄する際、貼付票４１２が配送ラベル５０１から分離される。本形態における貼付票４１２は、２本のスリット４１３ｂと２本のミシン目１４ｃとミシン目１４ｄとで囲まれた配送情報表示欄１２ａを含む領域が、伝票シート４１０から分離可能となっているため、この領域が配送ラベル５０１から分離されることになる。貼付票４１２のうち２本のスリット４１３ｂと２本のミシン目１４ｃとミシン目１４ｄとで囲まれた配送情報表示欄１２ａを含む領域は、ミシン目１４ｃ，１４ｄと２本のスリット４１３ｂとによって貼付票４１２から分離可能となっているとともに、これらミシン目１４ｃ，１４ｄと２本のスリット４１３ｂが、貼付票４１２の裏面に貼着された剥離シート５３０にも貫通して形成されているため、図１８（ａ）に示すように、貼付票４１２の剥離開始マーク１２ｂに従ってミシン目１４ｃ，１４ｄを破断することで、貼付票４１２のうち２本のスリット４１３ｂと２本のミシン目１４ｃとミシン目１４ｄとで囲まれた配送情報表示欄１２ａを含む領域を伝票シート４１０から分離するとともに、ミシン目１４ｃ，１４ｄと２本のスリット４１３ｂによって剥離シート５３０から分離可能に区画形成された分離部５３１ｂ，５３２ｂを剥離シート５３０から分離していくことができる。このように、本形態においては、粘着剤層５０と剥離シート５３０とからなる第１の接着層が、分離部５３１ｂ，５３１ｃによって、情報表示部となる２本のスリット４１３ｂと２本のミシン目１４ｃとミシン目１４ｄとで囲まれた領域の被着体となる配送物２からの剥離を可能とする構造を有している。
【００８８】
それにより、図１８（ｂ）に示すように、貼付票４１２のうち２本のスリット４１３ｂと２本のミシン目１４ｃとミシン目１４ｄとで囲まれた情報表示欄１２ａを含む領域が、その一部が配送物２に残存することなく剥離シート５３０の分離部５３１ｂ，５３１ｃとともに配送物２から全て分離されることになる。
【００８９】
配送物２から剥離されることで分離した貼付票４１２の分離領域は、複数のスリット４１３ａが互いに交差することなく並行して貼付票４１２を横切るように形成されているため、スリット４１３ａに隣接する領域においては複数の領域が分離した状態となっているものの、全てのスリット４１３ａの一端が分離部４１５に当接していることで、図１９（ａ）に示すように、一体となった状態となっている。
【００９０】
また、剥離シート５３０から分離した分離部５３１ｂにおいても、複数のスリット４１３ａが互いに交差することなく並行して分離部５３１ｂを横切るように形成されているため、スリット４１３ａに隣接する領域においては複数の領域が分離した状態となっているものの、全てのスリット４１３ａの一端が分離部５３１ｃに当接していることで、一体となった状態となっている。
【００９１】
その後、ミシン目１４ｂを破断することで、分離部４１５を貼付票４１２の分離領域から分離するとともに分離部５３１ｃを分離部５３１ｂから分離すると、貼付票４１２の分離領域に含まれる配送情報表示欄１２ａがスリット４１３ａによって複数の領域に分離されることになり、図１９（ｂ）に示すように、貼付票４１２の配送情報表示欄１２ａに表示された配送情報１２ｃが分断されて認識困難なものとなり、情報の漏洩が回避されることとなる。
【００９２】
このように、配送物２に貼着された貼付票４１２の配送情報表示欄１２ａを含む領域を配送物２から剥離し、その後、貼付票４１２の分離領域から分離部４１５を分離することで、配送情報表示欄１２ａを含む領域が複数の領域に分離されることとなり、貼付票４１２に表示された配送情報１２ｃを配送物２に貼着された状態から手間をかけずに分断して情報の漏洩を回避できる。
【００９３】
なお、上述した実施の形態においては、切り込み線としてスリットを例に挙げて説明したが、切り離し線と同様に、カット部とタイ部とからなる構成であってもよい。
【符号の説明】
【００９４】
１，１０１，２０１，３０１，４０１，５０１    配送ラベル
２    配送物
１０，２１０，３１０，４１０    伝票シート
１１，４１１    配達票
１１ａ，１２ａ    配送情報表示欄
１１ｂ，１２ｂ    剥離開始マーク
１１ｃ，１２ｃ    配送情報
１２，２１２，３１２，４１２    貼付票
１３ａ，１３ｂ，１４ａ，２１３，３１３，４１３ａ，４１３ｂ，５３２ａ，５３２ｂ    スリット
１４ｂ〜１４ｄ，２１４ｂ，３１４ｂ    ミシン目
２０    中間シート
１５，２１５，３１５，４１５，５３１ａ，５３１ｂ，５３１ｃ    分離部
３０，５３０    剥離シート
４０，１４０    擬似接着層
４１    接着剤層
４２    ニス層
５０    粘着剤層
５１    シリコン層
【図１】
2020024252.tif 000003
【図２】
2020024252.tif 000004
【図３】
2020024252.tif 000005
【図４】
2020024252.tif 000006
【図５】
2020024252.tif 000007
【図６】
2020024252.tif 000008
【図７】
2020024252.tif 000009
【図８】
2020024252.tif 000010
【図９】
2020024252.tif 000011
【図１０】
2020024252.tif 000012
【図１１】
2020024252.tif 000013
【図１２】
2020024252.tif 000014
【図１３】
2020024252.tif 000015
【図１４】
2020024252.tif 000016
【図１５】
2020024252.tif 000017
【図１６】
2020024252.tif 000018
【図１７】
2020024252.tif 000019
【図１８】
2020024252.tif 000020
【図１９】
2020024252.tif 000021